(57)【要約】【課題】保護者に対する生徒の登下校情報の通知を、より確実に行うことができる登下校通知システムの提供。【解決手段】教育機関に通学する生徒の保護者に対して、生徒の登下校情報を通知するためのものであり、生徒携帯の、生徒に対応する識別情報が記憶されたパッシブ型ＲＦＩＤカードと、教育機関の出入口設置の、パッシブ型ＲＦＩＤカードに記憶の識別情報の読み取りを行うパッシブ型ＲＦＩＤリーダと、生徒携帯の、生徒に対応する識別情報が記憶されたアクティブ型ＲＦＩＤタグと、教育機関の出入口設置の、生徒のアクティブ型ＲＦＩＤタグに記憶の識別情報の読み取りを行うアクティブ型ＲＦＩＤリーダと、これらのリーダの少なくとも一方で、識別情報の読み取りが行われた際に生徒の登下校を認識する認識手段、及び生徒の登下校情報を登録されている電子メールアドレスに通知する通知手段を有する管理サーバとを具備する登下校通知システム。【選択図】図１
0003154193.tif 000002
【実用新案登録請求の範囲】
【請求項１】
教育機関に通学する各生徒の保護者に対して、各生徒の登下校情報を通知するための登下校通知システムであって、
各生徒に携帯させる、各生徒に対応する識別情報が記憶されたパッシブ型ＲＦＩＤカードと、
教育機関の出入口に設置され、生徒がパッシブ型ＲＦＩＤカードをかざした際に、そのパッシブ型ＲＦＩＤカードに記憶されている識別情報の読み取りを行うパッシブ型ＲＦＩＤリーダと、
各生徒に携帯させる、各生徒に対応する識別情報が記憶されたアクティブ型ＲＦＩＤタグと、
教育機関の出入口に設置され、生徒が接近した際に、自動的に、該生徒のアクティブ型ＲＦＩＤタグに記憶されている識別情報の読み取りを行うアクティブ型ＲＦＩＤリーダと、
パッシブ型ＲＦＩＤリーダ及びアクティブ型ＲＦＩＤリーダの少なくとも一方で、識別情報の読み取りが行われた際に、該識別情報に対応する生徒の登下校を認識する認識手段、及び、該認識手段により登下校が認識された生徒の登下校情報を、該生徒と関連付けて登録されている電子メールアドレスに通知する通知手段を有する管理サーバとを、少なくとも具備することを特徴とする登下校通知システム。
【請求項２】
ある生徒について、正常にパッシブ型ＲＦＩＤリーダでの識別情報の読み取りが行われた場合は、パッシブ型ＲＦＩＤリーダがその読み取りを行った後すぐに、パッシブ型ＲＦＩＤリーダの読み取りのみに基づいて、該生徒と関連付けて登録されている電子メールアドレスに該生徒の登下校情報を通知するように通知手段が設定されている請求項１に記載の登下校通知システム。
【請求項３】
ある生徒について、所定設定時間までにパッシブ型ＲＦＩＤリーダでの識別情報の読み取りが行われず、かつ、アクティブ型ＲＦＩＤリーダでの識別情報の読み取りが行われた場合は、上記所定設定時間経過後すぐに、アクティブ型ＲＦＩＤリーダの読み取りに基づいて、該生徒と関連付けて登録されている電子メールアドレスに該生徒の登下校情報を通知するように通知手段が設定されている請求項１又は２に記載の登下校通知システム。
【請求項４】
パッシブ型ＲＦＩＤリーダ及びアクティブ型ＲＦＩＤリーダが、それぞれ、一度、読み取りが行われた識別情報に対しては、所定設定時間が経過するまで、再度の読み取りを行わないように設定されている請求項１〜３のいずれか１項に記載の登下校通知システム。
【請求項５】
パッシブ型ＲＦＩＤカード及び／又はアクティブ型ＲＦＩＤタグに、防犯ブザー機能が付加されている請求項１〜４のいずれか１項に記載の登下校通知システム。
【考案の詳細な説明】
【技術分野】
【０００１】
本考案は、教育機関に通学する生徒の保護者に対して、生徒の登下校情報の通知をより確実に行うことを可能とするための登下校通知システムに関する。
【背景技術】
【０００２】
従来より、学校や塾などの教育機関に通学する生徒が登下校したことを、生徒の保護者などに自動的に通知するための登下校通知システムが実用化されている。また、近年は、電波を使用する非接触認証技術であるＲＦＩＤ（Ｒａｄｉｏ  Ｆｒｅｑｕｅｎｃｙ  Ｉｄｅｎｔｉｆｉｃａｔｉｏｎ）を利用した登下校通知システムが使用されている。そして、ＲＦＩＤを利用した登下校通知システムは、アクティブ型ＲＦＩＤを利用するものと、パッシブ型ＲＦＩＤを利用するものとに大別される。
【０００３】
アクティブ型ＲＦＩＤを利用する場合は、各生徒に携帯させる、各生徒に対応する識別情報が記憶されたアクティブ型ＲＦＩＤタグ（以下、ＩＤタグ）と、教育機関の出入口に設置され、生徒が接近した際に、自動的に、該生徒のＩＤタグに記憶されている識別情報の読み取りを行うアクティブ型ＲＦＩＤリーダ（以下、タグリーダ）とを主に使用し、保護者に対して生徒の登下校情報の通知を行う。そして、この場合に使用されるＩＤタグは、電源を内蔵しており、自ら微弱電波を発信できるものであることから、約２０ｍ程度の長距離であってもタグリーダとの間で無線通信を行うことができる。したがって、ＩＤタグを携帯する各生徒は、タグリーダに自身の識別情報の読み取りを行わせるのに際し、わざわざＩＤタグをタグリーダにかざすなどの動作をする必要がない。すなわち、ＩＤタグを生徒のランドセルなどのかばんに常時取り付けておきさえすれば、自動的に、しかも生徒に特に意識させることなく、タグリーダによる識別情報の読み取りを行うことができる。さらに、この技術を利用する場合には、同時に多数の生徒の登下校を認識することができるといった利点もある。
【０００４】
しかし、その一方で、長距離間での無線通信を利用するため、ＩＤタグとタグリーダとの通信が障害物で遮られたり、読み取りの角度が悪かったりした場合などにおいて、タグリーダが識別情報を正確に読み取れないという問題があった。また、ＩＤタグに内蔵されている電源が消耗してしまった場合には、タグリーダとの間で通信が行えないという問題もある。さらには、前記したように、生徒がタグリーダによる読み取りを特別意識することがないため、そのことに気付くことができないこともある。このため、生徒が登下校しているにもかかわらず、その情報が保護者に通知されないという事態が頻繁に発生し、かえって保護者などに不安を与えてしまうことが多々あった。また、このように読み取りが不安定であると、教育機関側も、結局は、生徒が無事に登校しているかについて再度の確認を行う必要があり、効率的に運用できているものとはいえなかった。
【０００５】
また、パッシブ型ＲＦＩＤを利用する場合は、主に、各生徒に携帯させる、各生徒に対応する識別情報が記憶されたパッシブ型ＲＦＩＤカード（以下、ＩＤカード）と、教育機関の出入口に設置され、生徒がＩＤカードをかざした際に、そのＩＤカードに記憶されている識別情報の読み取りを行うパッシブ型ＲＦＩＤリーダ（以下、カードリーダ）とを主に使用して、保護者に対して生徒の登下校情報の通知を行う。そして、この場合に使用されるＩＤカードは、電源を内蔵していないため、カードリーダから発信される電波からの電源を得て、数ｃｍ程度の近距離間でカードリーダと無線通信を行うものである。したがって、各生徒は、登下校した際、生徒自身でＩＤカードをカードリーダにかざし、ＩＤカードに記憶されている識別情報をカードリーダに読み込ませる必要がある。その一方で、カードリーダにＩＤカードをかざしさえすれば、ほぼ確実に識別情報の読み取りがなされることから、前記したような通信不備の影響で、保護者に生徒の登下校情報が通知されないといった問題は生じにくい。
【０００６】
しかし、このような利点を有するパッシブ型ＲＦＩＤを利用する登下校通知システムを用いた場合においても、以下のような課題がある。すなわち、前記したように、カードリーダがＩＤカードに記憶されている識別情報の読み取りを行うには、生徒自身がＩＤカードをかざす必要がある。すなわち、ＩＤカードは、ＩＤタグと異なり、かばんなどに常に括り付けておけばよいというものではない。したがって、生徒は、ＩＤカードを、紛失したり、忘れたりしやすく、生徒がそのことに気付かずに、登校してきた場合には、カードリーダに識別情報の読み取りを行わせることができない。また、そのための対策として、バックアップカードを教育機関側が別途用意して保管しておく方法があるが、新たに、カード管理責任者を配置させる必要があり、物的及び人的費用がかかるといった問題がある。その他にも、パッシブ型ＲＦＩＤを利用する登下校通知システムでは、生徒が、急いでいたり、他のことに夢中になってしまっていたりして、ＩＤカードをかざすことを忘れてしまう場合もあり、生徒の登校情報が保護者に通知されないという事態を度々生じさせていた。
【０００７】
また、ＲＦＩＤを利用する登下校通知システムとしては、その他にも様々なものが提案されている。例えば、特許文献１には、生徒に非接触ＩＣカード（ＲＦＩＤカード）を持たせ、学校等に設置されたカード読取手段（リーダ）で、生徒が持つ非接触ＩＣカードの読み取りを行い、生徒の登下校を認識して、これを通知する出退記録管理システムが提案されている。また、特許文献２には、所定時間が過ぎても、生徒に携帯させたＩＣカードの読み取りが行えない場合に、生徒が登校していないことを生徒の保護者に自動的に通知する登下校情報自動発信システムが提案されている。さらには特許文献３には、登下校したことの通知先を、時間などにより適宜変更できる登下校時防犯システムが提案されている。しかし、いずれの技術も、前記したような、保護者に対して、頻繁に生徒の登下校情報の通知が行われないといった問題を解決するものではなく、登下校情報の通知の確実性を向上させて、保護者に不用な心配を与えることのない登下校通知システムの開発が望まれていた。
【先行技術文献】
【特許文献】
【０００８】
【特許文献１】特開２００４−４６４５８号公報
【特許文献２】特開２００７−２２６３８７号公報
【特許文献３】特開２００８−１７１３１９号公報
【考案の概要】
【考案が解決しようとする課題】
【０００９】
したがって、本考案の第１の目的は、保護者に対する生徒の登下校情報の通知を、より確実に行うことができ、保護者に不用な心配を与えることのない登下校通知システムを提供することにある。
【００１０】
また、一方で、登下校通知システムにおいては、保護者に通知する情報が過多となると、情報が錯綜してしまい、保護者が混乱や勘違いをしてしまう可能性も否定できない。したがって、本考案の第２の目的は、必要な登下校情報のみを保護者に通知することを可能とする登下校通知システムを提供することにある。
【課題を解決するための手段】
【００１１】
本考案者が、上記第１の目的を達成するために鋭意検討したところ、以下のことが明らかとなった。先ず、従来使用されている、アクティブ型ＲＦＩＤを利用した登下校通知システムとパッシブ型ＲＦＩＤを利用した登下校通知システムは、いずれも、使用した際、保護者に対する生徒の登下校情報の通知に確実性がなく、保護者に不用な心配を与えてしまうという共通の課題を有している。しかし、その発生要因は、前記した通り、全く異なっている。つまり、アクティブ型ＲＦＩＤを利用した場合は、主にＩＤタグとタグリーダとの通信に起因するものであり、パッシブ型ＲＦＩＤを利用した場合は、主に生徒側の問題に起因するものである。そこで、本考案者が、パッシブ型とアクティブ型のＲＦＩＤを適宜に組み合わせて利用することについて検討を行ったところ、それぞれが有する欠点を効果的に補い合うことができ、読み取りの確実性を飛躍的に向上させることがわかった。つまり、単純に識別情報の読み取り作業を２重にするのではなく、パッシブ型とアクティブ型のＲＦＩＤを適宜に組み合わせて利用することで、より信頼性の高い登下校通知システムが得られることがわかった。
【００１２】
したがって、上記第１の目的は、以下の本考案によって達成される。すなわち、本考案は、教育機関に通学する各生徒の保護者に対して、各生徒の登下校情報を通知するための登下校通知システムであって、各生徒に携帯させる、各生徒に対応する識別情報が記憶されたＩＤカードと、教育機関の出入口に設置され、生徒がＩＤカードをかざした際に、そのＩＤカードに記憶されている識別情報の読み取りを行うカードリーダと、各生徒に携帯させる、各生徒に対応する識別情報が記憶されたＩＤタグと、教育機関の出入口に設置され、生徒が接近した際に、自動的に、該生徒のＩＤタグに記憶されている識別情報の読み取りを行うタグリーダと、カードリーダ及びタグリーダの少なくとも一方で、識別情報の読み取りが行われた際に、該識別情報に対応する生徒の登下校を認識する認識手段、及び、該認識手段により登下校が認識された生徒の登下校情報を、該生徒と関連付けて登録されている電子メールアドレスに通知する通知手段を有する管理サーバとを、少なくとも具備することを特徴とする登下校通知システムである。
【００１３】
また、上記第２の目的は、以下の本考案の好ましい形態により達成される。すなわち、本考案の登下校通知システムは、ある生徒について、正常にカードリーダでの識別情報の読み取りが行われた場合は、カードリーダがその読み取りを行った後すぐに、カードリーダの読み取りのみに基づいて、該生徒と関連付けて登録されている電子メールアドレスに該生徒の登下校情報を通知するように通知手段が設定されていることが好ましい。また、カードリーダ及びタグリーダが、それぞれ、一度、読み取りが行われた識別情報に対しては、所定設定時間が経過するまで、再度の読み取りを行わないように設定されていることが好ましい。これらの好ましい形態とすることで、必要以上の登下校情報が、保護者に通知されるのを防止することができ、上記第２の目的を達成できる。
【００１４】
また、本考案の登下校通知システムは、ある生徒について、所定設定時間までにカードリーダでの識別情報の読み取りが行われず、かつ、タグリーダでの識別情報の読み取りが行われた場合は、上記所定設定時間経過後すぐに、タグリーダの読み取りに基づいて、該生徒と関連付けて登録されている電子メールアドレスに該生徒の登下校情報を通知するように通知手段が設定されていることが好ましい。さらに、ＩＤカード及び／又はＩＤタグに、防犯ブザー機能が付加されていることが好ましい。
【考案の効果】
【００１５】
本考案によれば、保護者に対する生徒の登下校情報の通知を、より確実に行うことができる登下校通知システムが提供される。
【図面の簡単な説明】
【００１６】
【図１】本考案の登下校通知システムの一実施形態を示す概略図である。
【図２】本考案の登下校通知システムの一実施形態における通知規則を説明する図である。
【考案を実施するための形態】
【００１７】
以下に、本考案の好ましい実施形態を、図面を参考にしながら詳細に説明する。本考案の登下校通知システムは、学校や塾などの教育機関に通学する各生徒の保護者に対して、各生徒の登下校情報を通知するためのものであり、基本的には、各生徒に対応する識別情報が記憶されたＩＤカードと、該ＩＤカードに記憶されている識別情報の読み取りを行うカードリーダと、各生徒に対応する識別情報が記憶されたＩＤタグと、該ＩＤタグに記憶されている識別情報の読み取りを行うタグリーダと、生徒の登下校の認識及び登下校情報の通知を行うための管理サーバとから構成されるものである（図１参照）。
【００１８】
ＩＤカードは、情報を記憶するためのＩＣチップを内蔵したカード型のものであり、電源を備えておらず、カードリーダが発信する電波を電源として、カードリーダに情報の読み取りを行わせるものである。そして、カードリーダと通信できる範囲は、数ｃｍ程度の近距離に限られている。また、本考案におけるＩＤカードには、ＩＤカードを携帯する生徒それぞれに対応する識別情報を記憶させている。ＩＤカードに記憶させる識別情報としては、ＩＤカードを携帯する生徒を認識できれば特に制限はなく、例えば、生徒番号を活用してもよいし、新たに各生徒に付与した番号などを使用してもよい。また、ＩＤカードは、市販の財布やカード入れなどに収納できる大きさや厚みとして、生徒が携帯しやすく、取り扱いしやすいものとすることが好ましい。また、ＩＤカードは、生徒手帳など、通常、通学に持ち歩くものと一体化させておいてもよい。
【００１９】
カードリーダは、図１に示すように生徒がＩＤカードをかざした際、そのＩＤカードに記憶されている識別情報の読み取りを行うための読み取り部を有するものである。そして、教育機関の出入口、すなわち、生徒が登下校時に必ず通過する場所に設置される。例えば、校門や下駄箱などの校舎出入口が挙げられ、その中でも、生徒の目に付きやすい場所に設置することが好ましい。また、複数の出入口から生徒が出入する可能性のある教育機関においては、カードリーダによる識別情報の読み取りを行うにあたって生徒が不便とならないように、それぞれの出入口にカードリーダを設置させることが好ましい。また、カードリーダには、識別情報の読み取りが完了したことや、正常な読み取りが行えなかったことを知らせるための通知音が鳴る機能を付加させておくことが好ましい。また、カードリーダは、生徒のいたずら防止などのために、一度、読み取りが行われた識別情報に対しては、所定設定時間が経過するまで、再度の読み取りを行わないように設定しておくことが好ましい。
【００２０】
ＩＤタグは、情報を記憶するためのＩＣチップと電源を内蔵したタグ型のものであり、自ら微弱電波を発信して、タグリーダに情報の読み取りを行わせることができるものである。そして、約２０ｍまでの長距離間においても、タグリーダとの間で無線通信を行うことが可能である。また、ＩＤタグにも、ＩＤタグを携帯する生徒それぞれに対応する識別情報を記憶させている。ＩＤタグに記憶させる識別情報としては、例えば、生徒番号や新たに各生徒に付与した番号などを使用でき、また、ＩＤカードに記憶させる識別番号と共通化させておくこともできる。ＩＤタグは、ＩＤカードと異なり、長距離間での通信が可能であるため、生徒が登下校した際、わざわざ取り出してタグリーダにかざすなどの動作をする必要がない。したがって、名札やランドセルなど、通学の際、必ず携帯するものに、括り付けるなどして、常時、取り付けておくことが好ましい（図１参照）。ＩＤタグは、自発信するものであるが、その通信距離は、教育機関の出入口の大きさや構造に合わせて調整しておくことが好ましい。例えば、通信距離が短すぎることで、タグリーダによる読み取り漏れが生じたり、通信距離が長すぎることで、登下校以外の不必要なときに、タグリーダによる読み取りが行われたりしないように調整しておくことが好ましい。
【００２１】
タグリーダは、生徒が接近した際に、自動的に、該生徒のＩＤタグに記憶されている識別情報の読み取りを行うための読み取り部を有するものである。そして、教育機関の出入口、すなわち、生徒が登下校時に必ず通過する場所に設置される。例えば、校門や、下駄箱などの校舎出入口が挙げられる。前記したように、タグリーダは、ＩＤタグと長距離でも通信が行えるため、校舎出入り口の天井などの、生徒の目に付きにくい箇所に設置しておいてもよい。また、複数の出入口から生徒が出入する可能性のある教育機関においては、読み取り漏れがないように、それぞれの出入口にタグリーダを設置させることが好ましい。また、タグリーダも、一度、読み取りが行われた識別情報に対しては、設定所定時間が経過するまで、再度の読み取りを行わないように設定することが好ましい。
【００２２】
管理サーバは、図１に示すように、前記各リーダと有線又は無線で接続されており、教育機関内の適宜な位置に設置されている。そして、各リーダから送信された識別情報に基づいて生徒の登下校を認識するための認識手段と、保護者の携帯電話やパーソナルコンピューター（ＰＣ）に生徒の登下校情報を通知するための通知手段とを少なくとも有している（図１参照）。
【００２３】
管理サーバを構成する認識手段は、カードリーダ及びタグリーダの少なくとも一方で、識別情報の読み取りが行われた際に、該識別情報に対応する生徒の登下校を認識するためのものである。すなわち、カードリーダ又はタグリーダが読み取った識別情報が、有線通信又は無線通信で管理サーバに送られ、認識手段において、該識別情報と関連付けされている生徒が登校又は下校したと認識される。また、登校か下校のいずれであるかの認識は、リーダが読み取りを行った時間などに基づいて行うように設定することができる。例えば、午前中に読み取りを行った場合は登校と認識し、一方、午後に読み取りを行った場合は下校と認識するように設定することができる。また、１日のうちで、最初の読み取りは登校と認識し、２回目の読み取りは下校と認識するように設定することもできる。勿論、これ以外の条件設定も可能である。
【００２４】
管理サーバを構成する通知手段は、前記認識手段により登下校が認識された生徒の登下校情報を、該生徒と関連付けて登録されている電子メールアドレス宛に通知するためのものである。生徒と関連付けて登録する電子メールアドレスは、該生徒の保護者宛のものであり、複数登録することもできる。また、登下校情報の通知は、インターネット回線などを利用して行うことができ、保護者は、その通知を、自己の携帯電話やＰＣなどから受け取ることができる。
【００２５】
登下校情報には、登下校した事実だけでなく、登下校した時間（リーダが識別情報の読み取りを行った時間）や、教育機関の行事情報などを含めることもできる。また、カードリーダとタグリーダの両方で、又は、いずれかで識別情報の読み取りを行ったかについても登下校情報に含めることができる。これにより、例えば、生徒がＩＤカードによる識別情報の読み取り作業をきちんと行っていない場合に、生徒の保護者側もその事実を知ることができるようになり、注意を喚起できるようになる。
【００２６】
また、管理サーバは、認識手段により認識された生徒の登下校に関する情報を記録しておくための記録手段を有していてもよく（図１参照）、これらの記録などをデータベース化してもよい。これにより、教育機関側が、生徒の欠席日数などを簡単に把握することができるようになる。また、管理サーバは、誤った登下校の認識などを訂正するための書き換え手段などをさらに有してもよい。また、図１に示すように、管理サーバを、各教職員の端末機器と接続させることで、生徒の出欠状況を端末機器から簡単に確認できるようにしてもよい。
【００２７】
本考案においては、ＩＤカード及び／又はＩＤタグに、防犯ブザー機能を付加させることが好ましい。これにより通学途中において、生徒が何らかの危険を察知した場合、大音量で周囲に危険を知らせることができるようになる。特に、このような防犯ブザー機能は、大音量を発するために、通常は電源を必要とすることから、電源を内蔵しているＩＤタグに、その機能を付加させておくことが好適である。
【００２８】
本考案の登下校通知システムは、以上の構成から成り立つものであるが、その具体的な使用の手順を、登校時における好ましい例を挙げて説明する。先ず、図１に示すように、生徒は、教育機関に登校するときに、予め自己の識別情報を記憶させたＩＤカードとＩＤタグを携帯する。そして、生徒は、教育機関に到着した際、先ず、図１に示すように、教育機関の出入口に設置されたカードリーダに、ＩＤカードをかざすことで、識別情報の読み取りを行わせる。また、生徒は、タグリーダが設置されている教育機関の出入口を通過することで、自動的にＩＤタグに記憶されている識別情報の読み取りを行わせる（図１参照）。
【００２９】
これらのリーダに読み取られた識別情報は、各リーダと有線又は無線で接続されている管理サーバに送られる（図１参照）。そして、管理サーバの認識手段において、識別情報に対応する生徒が登校したことが認識される。そして、認識された生徒の登校したことに関する情報は、必要により追加されるその他の情報とともに、通知手段において、生徒の保護者のＰＣ又は携帯電話の電子メールアドレス宛にインターネット回線などを介して通知される（図１参照）。
【００３０】
以上の手順で使用される登下校通知システムにおいて、通知手段で通知する生徒の登下校情報は、カードリーダ又はタグリーダが識別情報の読み取りを行った後すぐに、各リーダの読み取りに基づいて、保護者に通知されるように通知手段を設定しておくことができる。しかし、このように設定した場合、ある同一の生徒について、カードリーダとタグリーダの両方で識別情報の読み取りが行われると、同様の登下校情報が保護者に重複して通知されてしまうことが考えられる。そして、重複して登下校情報が保護者に通知されると、情報が錯綜して、保護者が混乱や勘違いをする可能性も否定できない。このため、通知手段は、ある生徒について、カードリーダ及びタグリーダの両方で識別情報の読み取りが行われた場合、カードリーダがその読み取りを行った後すぐに、カードリーダの読み取りのみに基づいて、該生徒と関連付けて登録されている電子メールアドレスに該生徒の登下校情報を通知するように設定しておくことが好ましい（図２（ａ）参照）。なお、タグリーダの読み取りに基づかずに、カードリーダの読み取りに基づいて、生徒の登下校情報が通知されるように設定するのは、タグリーダの読み取りに基づいて、生徒の登下校情報が通知されるように設定すると、生徒がＩＤカードをカードリーダにかざす行為そのものを必要ないと感じてしまい、その作業をおろそかにしてしまう可能性があるためである。そして、その作業がおろそかになり、タグリーダによる識別情報の読み取りだけが行われるようになると、結果として、生徒の登下校情報の通知の確実性を向上させることができない。すなわち、本考案の登下校通知システムを用いる場合は、ＩＤカードをカードリーダにかざしさえすれば高い読み取りの確実性が得られるパッシブ型ＲＦＩＤによる認証を優先させ、これよりも読み取りの確実性が低いアクティブ型ＲＦＩＤによる認証は補助的な役割とすることが好ましい。
【００３１】
また、ある同一の生徒について、カードリーダ及びタグリーダのいずれかで識別情報の読み取りが行われた場合は、読み取りがなされたリーダの読み取りに基づいて、該生徒と関連付けて登録されている電子メールアドレスに該生徒の登下校情報が通知される（図２（ｂ）、（ｃ）参照）。そして、カードリーダのみで識別情報の読み取りが行われた場合は、その読み取りが行われた後すぐに、生徒の登下校情報が通知されるように通知手段を設定することが好ましい。また、タグリーダのみで識別情報の読み取りが行われた場合は、所定設定時間経過後に生徒の登下校情報が通知されるように通知手段を設定することが好ましい。所定設定時間まで、タグリーダの読み取りに基づく登下校情報の通知を保留させるのは、前記した通り、パッシブ型ＲＦＩＤによる認証を優先させるためである。なお、この場合の所定設定時間は、例えば、登校時においては授業開始時間、下校時においては下校時間などとすることができる。
【産業上の利用可能性】
【００３２】
以上説明したように、本考案の登下校通知システムによれば、より高い確実性をもって、保護者に生徒の登下校情報を通知することができる。そして、保護者は、通知された生徒の登下校情報を確認することで、子供が無事に教育機関に到着したことを知ることができる。また、その高い確実性から、保護者に不用な不安を与えることを防止できる。一方、生徒が家を出たにもかかわらず、保護者に登下校情報が通知されない場合は、何らかの問題が発生した可能性があることの認識ができ、教育機関に問い合わせするなどの対応を素早くできる。また、本考案の登下校通知システムの好ましい形態によれば、同様の登下校情報が重複して通知されるのを防止でき、保護者が混乱したり勘違いしたりするのを有効に防止できる。
【図１】
0003154193.tif 000003
【図２】
0003154193.tif 000004